(57)【特許請求の範囲】
【請求項１】
面状に発光する発光面を有する面状発光モジュールと、この面状発光モジュールに電力を供給する給電部材と、前記面状発光モジュールを保持するリブとを備える面状照明器具であって、  前記給電部材は前記面状発光モジュールと一体化され、前記リブの前記発光面側に設置され、前記リブの少なくとも一部を覆うように設置されおり、前記給電部材は本体部と付勢部材とからなり、前記面状発光モジュールを前記リブに取り付ける際は前記付勢部材をリブに押し込んで嵌め、前記面状発光モジュールを前記リブから取り外す際は付勢部材に力を加えて後退させて外すことを特徴とする面状照明器具。
【請求項２】
前記リブの突出高さは前記給電部材の厚みのほぼ半分に達する高さに形成されることを特徴とする請求項１記載の面状照明器具。
【発明の詳細な説明】
【技術分野】
【０００１】
本発明は、面状に広く配光する面状照明器具に関する。
【背景技術】
【０００２】
広く均一に配光するための照明器具において、光源をＥＬ発光素子とする照明器具では１枚の発光素子を広い面積とすることが困難である。一方、灯具がランプや蛍光灯などを光源とした場合、電線と灯具との間を導体アームで連結する照明器具が知られている。しかしこのような照明器具において、広く均一に配光するため器具構成が複雑となり、取り付けが容易でなかった。そこで、それらの課題を解決する照明装置が提案されている（例えば、特許文献１）。
【０００３】
特許文献１の照明装置は、電源に接続される給電線を有する略平行の一対の線状支持体と、光源を有する平板状の灯体とを備え、この灯体に支持体に支持される支持部を側縁部に沿って設けて構成されている。
【０００４】
このような特許文献１に開示された面状照明器具においては、導体を有する一対の線状支持体で灯体を支持し、灯体が略平面板状をなすため広く均一な配光が可能となるとともに、器具構成が簡単になり、灯体を支持体に取り付けることが容易になる。
【特許文献１】特開２００６−２３６８７８号公報
【発明の開示】
【発明が解決しようとする課題】
【０００５】
しかしながら、上記の特許文献１記載の従来技術において、支持体を略平行の一対の線状としているので、１方向への延長は容易で構成が簡単にできるが、Ｘ−Ｙ２方向の平面に拡張する場合には、構造が複雑になるとともに、コストアップとなる。
【０００６】
本発明は、上記の課題を解決するためになされたもので、コストアップを招来することなく、簡単な構成でもって非発光面の割合を少なく取れて、広く均一な配光が可能とすることができる面状照明器具を提供することを目的とする。
【課題を解決するための手段】
【０００７】
上記の目的を達成するために、請求項１記載の発明は、面状に発光する発光面を有する面状発光モジュールと、この面状発光モジュールに電力を供給する給電部材と、前記面状発光モジュールを保持するリブとを備える面状照明器具であって、前記給電部材は前記面状発光モジュールと一体化され、前記リブの前記発光面側に設置され、前記リブの少なくとも一部を覆うように設置されおり、前記給電部材は本体部と付勢部材とからなり、前記面状発光モジュールを前記リブに取り付ける際は前記付勢部材をリブに押し込んで嵌め、前記面状発光モジュールを前記リブから取り外す際は付勢部材に力を加えて後退させて外すことを特徴としている。
【０００８】
また、請求項２記載の発明では、請求項１記載の発明の構成において、前記リブの突出高さは前記給電部材の厚みのほぼ半分に達する高さに形成されていることを特徴としている。
【発明の効果】
【００１１】
請求項１記載の発明によれば、給電部材は面状発光モジュールと一体化され、リブの発光面側に設置され、リブの少なくとも一部を覆うように設置されるので、発光面の凹凸を少なくすると共にリブを露出させない。また、給電部材の発光面側に露出する面積を小さくとることで、見映えをよくし、非発光面が少なくて広く均一な配光が可能とすることができる。また、リブを複数設けて面状発光モジュールをＸ−Ｙ（左右、前後）方向に取り付けることにより、コストアップを招来することなく、簡単な構成でもって、より広い面状発光面を得ることができる。
【００１２】
請求項２記載の発明によれば、リブの発光面側は給電部材又は面状発光モジュールに覆われ、一層、発光面からリブが露出するのをなくし、発光面の非発光部を少なくすることができると共に発光面の凹凸を少なくすることができる。
【発明を実施するための最良の形態】
【００１５】
以下、本発明の実施の形態について、図面を参照して詳しく説明する。図１は本発明の実施の形態における面状照明器具の概略構成を示す斜視図、図２は同照明器具の一部を示す断面図、同照明器具の一部を示す分解斜視図である。この実施の形態における面状照明器具は、面状発光モジュール１、この面状発光モジュール１に電力を供給する給電部材２、この給電部材２により面状発光モジュール１を保持するリブ３とで構成され、リブ２は筺体４に固着されている。
【００１６】
面状発光モジュール１は、その一方の面に面状に発光面１ａが形成されている。この光源としては、複数のランプを配置したもの、直管形蛍光灯を配置したもの、ＥＬ発光素子を配置したもの等が使用される。ＥＬ発光素子を光源に用いると薄く構成できて照明器具を小形に構成できるので、この実施の形態においては、ＥＬ発光素子を用いるものとして説明する。面状発光モジュール１の平行な２側部に給電部材２が一体にそれぞれ取り付けられている。
【００１７】
給電部材２は、図示していないが、光源の駆動回路を備え、面状発光モジュール１の光源と電力供給源と電気的に接続するようにされている。給電部材２の外側面は凹んで、断面形状がほぼコ字形状に形成され、その凹部２ａはリブ３に嵌合するようにされている。
【００１８】
リブ３は給電部材２を介して面状発光モジュール１を保持するように強固に形成され、その一端は筐体４又は構造物に取り付けられる。そして、固定端と反対側端方向には横方向両側に突出した凸部３ａが設けられている。この凸部３ａと給電部材２の凹部２ａとが嵌合し、面状発光モジュール１を発光面の凹凸なく確実に設置する。また、リブ３の突出高さＨは、給電部材２の厚さＴの略半分にされている。このような寸法関係にすることにより、この実施の形態において、リブが発光面上に露出するのをなくし、発光面側の凹凸と非発光部を減らしている。
【００１９】
なお、給電部材２を面状発光モジュール１の発光面側に露出させずに、非発光面側に設けるようにする場合は、前記寸法関係は不要である。
【００２０】
次に、上記構成の面状照明器具において、組み立てる場合について、図３に示す図面を参照して説明する。先ず、所要の発光面積になるように、面状発光モジュール１を配置できるように、リブ３をＹ方向にのばし、Ｘ方向に複数セット筐体４に取り付ける。
【００２１】
面状発光モジュール１と一体化した給電部材２の両側凹部２ａをリブ３の凸部３ａに嵌合し、面状発光モジュール１を滑らせて端部に着けて保持する。同様にして、所要の面状発光モジュール１をリブ３に取り付ける。
【００２２】
以上のようにして、面状発光モジュール１と給電部材２を電気的に接続しながら、隣接するものを密着させて照明器具を組み立て、リブ３の導体を経て電力供給源に接続して使用する。
【００２３】
上記構成の面状照明器具は、コストアップを招来することなく、簡単な構成でもって、より広い面状発光面を得ることができ、発光面の凹凸を少なくすると共に、給電部材の発光面側に露出する面積を小さくすることで、見映えをよくし、非発光面が少なくて広く均一な配光が可能とすることができる。
【００２４】
なお、本発明は上記の例に限られるものでなく、その趣旨を変更しない範囲で、他の形態によっても実施可能である。例えば、給電部材に凹部を一体の部材で断面がコ字形状に凹部を形成するような例で説明したが、図４に示すように、本体部１１と付勢部材１２とから構成してもよい。そして、付勢部材１２は前進、後退可能にし、面状発光モジュール１をリブ３に取り付ける際は、給電部材２をリブ３に押し込んで嵌め、取り外す際は、付勢部材１２に力を加えて後退させて下方に外すようにしてもよい。このように構成すると、リブに沿って滑らせる距離を短くできる。
【００２５】
また、給電部材２の両外側を面状に形成する例で説明したが、複数個所でリブに係合するようにリブ係合部材を給電部材２の両外側面に取り付ける構成としてもよい。
【図面の簡単な説明】
【００２６】
【図１】本発明の実施の形態における面状照明器具の概略構成を示す斜視図である。
【図２】同照明器具の一部を示す断面図である。
【図３】同照明器具の一部を示す分解斜視図である。
【図４】同照明器具の給電部材の他の例を示す断面図である。
【符号の説明】
【００２７】
１    面状発光モジュール
２    給電部材
２ａ  凹部
３    リブ
３ａ  凸部
【図１】
0005018425.tif 000002
【図２】
0005018425.tif 000003
【図３】
0005018425.tif 000004
【図４】
0005018425.tif 000005